(57)【特許請求の範囲】
【請求項１】
土圧を支持する垂直部と、この垂直部の下方で地盤に埋設される水平部とを有するコンクリート製の擁壁であって、
上記垂直部は、コンクリート製の複数の分割体を擁壁の長手方向に沿って並設することにより構成されるとともに、隣接する分割体間で延び各分割体に固定されることにより隣接する分割体同士を連結する通り用連結部材が設けられ、
上記垂直部上に金網が配置されるとともに、この金網の下端部が上記通り用連結部材に接続されていることを特徴とする擁壁。
【請求項２】
上記通り用連結部材には、各々支持凹部を有する複数の支持部材が取り付けられ、上記金網に設けられた複数の支柱の各下端部が各支持部材の支持凹部に嵌合されることにより、上記金網の下端部が上記通り用連結部材に接続されることを特徴とする請求項１記載の擁壁。
【請求項３】
上記通り用連結部材が各分割体の後面側に沿って設けられるとともに、上記金網が垂直部の前後方向略中間部上に配置され、かつ上記支柱が上記金網から各分割体の後面に向けて屈曲状に形成されていることを特徴とする請求項２記載に擁壁。
【発明の詳細な説明】
【０００１】
【発明の属する技術分野】
本発明は、土圧を支持する垂直部と、この垂直部の下方で地盤に埋設される水平部とを備え、高低差を有する宅地や道路脇等に設けられるコンクリート製の擁壁、特に、上記垂直部上に金網を有する擁壁に関するものである。
【０００２】
【従来の技術】
従来、高低差を有する宅地や道路脇等に土止め用の擁壁を施工する場合、例えば、図１２に示すように、予め工場等で製造したコンクリート製のＬ型パネル１を擁壁の長手方向に沿って複数個並設する方法が知られている。
【０００３】
【発明が解決しようとする課題】
ところが、図１２の方法では、上記Ｌ型パネル１等を用いた擁壁上に金網を設置したい場合でも、金網の支柱の下端部をＬ型パネル１等で支持することが困難なため、擁壁上に金網を設けることが難しい問題があった。
【０００４】
【課題を解決するための手段】
本発明は前記の課題を解決するため、金網の設置が容易に行える擁壁を提供することを目的とする。
そのため、本発明の請求項１の擁壁は、土圧を支持する垂直部と、この垂直部の下方で地盤に埋設される水平部とを有するコンクリート製の擁壁であって、上記垂直部は、複数のコンクリート製の分割体を擁壁の長手方向に沿って並設することにより構成されるとともに、隣接する分割体間で延び各分割体に固定されることにより隣接する分割体同士を連結する通り用連結部材が設けられ、上記垂直部上に金網が配置されるとともに、この金網の下端部が上記通り用連結部材に接続されていることを特徴とするものである。
【０００５】
請求項２の擁壁は、請求項１の構成において、上記通り用連結部材には、各々支持凹部を有する複数の支持部材が取り付けられ、上記金網に設けられた複数の支柱の各下端部が各支持部材の支持凹部に嵌合されることにより、上記金網の下端部が上記通り用連結部材に接続されることを特徴とするものである。
【０００６】
請求項３の擁壁は、上記通り用連結部材が各分割体の後面側に沿って設けられるとともに、上記金網が垂直部の前後方向略中間部上に配置され、かつ上記支柱が上記金網から各分割体の後面に向けて屈曲状に形成されていることを特徴とするものである。
【０００７】
【発明の実施の形態】
以下、本発明の第１の実施の形態を図面に基づいて説明する。図１に示すように、宅地又は道路脇等に高低差がある場合、段差部分に本実施の形態のコンクリート製の擁壁１０が設けられている。すなわち、擁壁１０の後方側（図の右側）の地面Ｌ１（２点鎖線参照）は擁壁１０の前方側（図の左側）の地面Ｌ２より高くなっており、上段側又は下段側の少なくとも一方が宅地となっていたり、上段側又は下段側の一方が道路を構成している場合等に、段差部分の土砂の崩落を防止するために上記擁壁１０を用いることができる。
【０００８】
上記擁壁１０は、土中に埋設された水平部１１と、段差部分の土圧を支持する垂直部１２とを備え、水平部１１と垂直部１２が連結金具１３により連結されている。図２及び図３にも示すように、水平部１１は地盤１４上に砕石１５を介してコンクリートを打設することにより、擁壁１０の長手方向へ連続的に設けられている。
【０００９】
一方、垂直部１２は、コンクリートからなる複数の略直方体状の分割体１６が水平部１１上に擁壁１０の長手方向に沿って並設されることにより構成されている。図１において、水平部１１及び垂直部１２の各分割体１６には各々鉄筋１７、１８が埋め込まれている。また、図１中の拡大図にも示したように、水平部１１の前端部上面付近には、その後端に下向きの屈曲部２０ａを有する下部止め金具２０が各分割体１６に対応させて複数埋め込まれ、この下部止め金具２０の前端から上向きに突出する屈曲部２０ｂに各分割体１６の前面が当接されている。
【００１０】
水平部１１の後端部付近には、複数のボルト２１が上方へ突出するように埋め込まれている。一方、各分割体１６の上部には、ナット２２が後面側に露出するように埋め込まれている。
【００１１】
隣接する複数の分割体１６間に断面Ｌ型の通りアングル２３（通り用連結部材）が架け渡され、この通りアングル２３の垂直部２３ａに設けた横方向の長孔２３ｂを介してボルト２４が各分割体１６のナット２２に螺合されることにより、隣接する分割体１６同士が水抜き用の僅かな隙間Ｇを隔てて連結されている。
【００１２】
図４にも示すように、連結金具１３は、両端部に雌ねじ２５ａ、２５ｂを有する中央連結体２５と、各々この中央連結体２５の雌ねじ２５ａに螺合する雄ねじ２６ａ、２７ａの端部に羽子板２６ｂ、２７ｂが接続された１対の羽子板ボルト２６、２７とからなる。上記雌ねじ２５ａ、２５ｂ同士（従って、雄ねじ２６ａ、２７ａ同士も）は互いの逆向きにねじが切られており、中央連結体２５を羽子板ボルト２６、２７に対して回転させることにより、両端の羽子板２６ｂ、２７ｂ間の距離を調整できるようになっている。
【００１３】
そして、一方の羽子板ボルト２６の羽子板２６ｂが上記ボルト２１にナット２８により接続されるとともに、他方の羽子板ボルト２７の羽子板２７ｂがボルト２９及びナット３０により通りアングル２３の水平部２３ｃに接続されて、各分割体１６が連結金具１３を介して水平部１１に連結されている。なお、他方の羽子板ボルト２７は、図４の状態から略１８０゜回転させた状態で使用されている。
【００１４】
上記通りアングル２３の水平部２３ｃ上には、複数の金属製で筒状（例えば、有底円筒状）の支持部材３１が、例えば、隣接する分割体１６の目地の位置に対応させて溶接等の手段で取り付けられている。擁壁１０上に設置すべき金網３２に設けた複数の支柱３３ａの各下端部が上記支持部材３１の支持凹部３１ａに嵌合されて支持されている。このように、通りアングル２３を利用して金網３２を設置することにより、擁壁１０部分での金網３２の取付を容易に行える。
【００１５】
なお、金網３２を支持する枠体３３は、上記複数の支柱３３ａと、各支柱３３ａの上端部間に架け渡された上部バー３３ｂと、隣接する各分割体１６の上面よりやや上方で隣接する支柱３３ａ上端部間に架け渡された下部バー３３ｃとからなる。
【００１６】
次に、上記擁壁１０の施工手順を説明する。図５に示すように、まず、擁壁１０を施工する周辺の地盤１４を図１に示す施工完了後における下段側の地面Ｌ２より若干低くなる程度まで掘削し、前記砕石１５を敷設した後、側部のみを型枠３４で仕切った状態でコンクリートを上下幅より前後幅が大きくなるように打設して凝固させた後、型枠３４を取り外すことにより、水平部１１を形成する。この際、水平部１１内に前記鉄筋１７、下部止め金具２０及びボルト２１を埋め込んでおく。
【００１７】
一方、垂直部１２を構成する複数の分割体１６は、水平部１１の施工前、施工後又は水平部１１の施工と並行して現場で作成する。すなわち、図６に示すような、例えば、仕切り板３５の両側で同時に２個の分割体１６の作成が可能な型枠３６に、ナット２２を支持金具３７を介して装着するとともに、図６には示さない前記鉄筋１８を型枠３６内に組み込んでコンクリートを流し込み、凝固後に型枠３６を取り外すことにより、図７に示すような分割体１６を多数作成する。
【００１８】
図７等に示す分割体１６は表面模様を有していないが、所望により、型枠３２の内表面に凹凸模様を付しておけば、分割体１６は表面に所望の模様を付与することができる。なお、１６ａは、支持金具３７により形成された凹部である。
【００１９】
上記分割体１６は、例えば、高低差を有する宅地に住宅を建築するような場合、当該住宅の基礎等を施工した後に生コンクリートが余った場合は、この余剰の生コンクリートを流用し、必要により、新規のコンクリート材料を追加しながら作成することができる。これにより、保存の困難な生コンクリートを無駄なく使用できる。
【００２０】
なお、残存する生コンクリート量との関係で分割体１６を当該現場の擁壁１０の施工に必要な数量以上に作成した場合でも、生コンクリートと異なり、余剰の分割体１６を所定期間保管しておいて、必要により他の施工現場で使用することができる。
【００２１】
上記水平部１１の施工と複数の分割体１６の作成が終了した後、水平部１１の前端部付近の上面にモルタル層３８（図２では図示省略）を薄く敷き、このモルタル層３８上に所定個数の分割体１６を前記水抜き用の隙間Ｇを介して順次載置し、各分割体１６の下端部前面を上記屈曲部２０ｂに当接させる。このように、分割体１６の下端部前面を屈曲部２０ｂに当接させることにより、後に擁壁１０を土砂３９で埋め戻した場合にも、分割体１６が前方へ倒れることがない。
【００２２】
その後、図２及び図３に示したように、隣接する分割体１６同士を通りアングル２３で連結するとともに、この通りアングル２３と水平部１１から突出した前記ボルト２１とを前記連結金具１３を用いて連結する。この際、両羽子板２６ｂ、２７ｂを各々ボルト２１と通りアングル２３とに連結した状態で、ボルト２１と通りアングル２３間の距離に応じて中央連結体２５を羽子板ボルト２６、２７に対し回転させるのみで、両羽子板２６ｂ、２７ｂ間の間隔を調整できる。
【００２３】
続いて、垂直部１２上に金網３２を配置し、各支柱３３の下端部を通りアングル２３上の支持部材３１の支持凹部３１ａ内に挿入して金網３２を通り用連結部材１０上に取り付ける。この場合、必要により、支柱３３を支持部材３１に不図示のピン又はねじ等で固定するようにしてもよい。
【００２４】
上記擁壁１０の施工及び金網３２の取付作業が完了した後、図１に２点鎖線のハッチングで示したように、擁壁１０の後方側（上段側）では高さＬ１まで、前方側（下段側）では高さＬ２まで土砂３９で埋め戻せばよい。これにより、支柱３３の下部も土砂３９に埋められることになるので、支柱３３の取付部の見栄えも良好なものとなる。
【００２５】
上記のように、隣接する分割体１６同士を連結する通りアングル２３に予め支持部材３１を固定しておき、擁壁１０上に設置すべき金網３２の支柱３３を上記支持部材３１に支持させるようにしたので、擁壁１０上への金網３２の取付を容易に行える利点がある。図８は変形例を示すものであり、金網３２の支柱３３ａに、各分割体１６の上面及び後面に沿って順次後方及び下方へ屈曲する屈曲部３３ｄを形成することにより、金網３２が擁壁１０の前後方向略中間位置上に位置するようにしている。
【００２６】
なお、本発明の金網３２は、垂直部１２を構成する各分割体１６を連結する通りアングル２３を有する限り、上記した以外の種々の構成の擁壁上に取り付けることができる。例えば、図９及び図１０に示す擁壁４０では、水平部１１に前記下部止め金具２０及びボルト２１に代えて幅止め金具４１が埋め込まれる一方、前記連結金具１３の代わりに略三角状の連結プレート４２を用いて水平部１１と各分割体１６とが連結されている。
【００２７】
上記幅止め金具４１は、長尺の金具本体４３と、この金具本体４３の長手方向中間部付近の下面側に溶接により取り付けられたＬ型の引抜防止鉄筋４４と、金具本体４３の後端部付近に設けた孔に下方から挿通されかつこの金具本体４３に溶接されたボルト４５からなる。金具本体４３の前端には上向きに屈曲する屈曲部４３ａが、後端には下向きに屈曲する屈曲部４３ｂが各々設けられている。
【００２８】
一方、上記連結プレート４２は、下端部及び上端部に各々水平方向への折曲部４２ａ、４２ｂを有し、折曲部４２ａは上記ボルト４５にナット４６によって固定されるとともに、折曲部４２ｂは通りアングル２３の水平部２３ｃにボルト２９及びナット３０で接続されている。ここでは、通りアングル２３は第１実施の形態とは異なり、水平部２３ｃが垂直部２３ａの上端に位置するように配置されている。そして、この水平部２３ｃ上に上記と同様の支持部材３１が固定され、金網３２の支柱３３の下端部が支持部材３１に嵌合されて支持されている。
【００２９】
図１１に示す擁壁５０では、水平部５１を現場で打設する際に、垂直部５２を構成する各分割体５３の下端部を水平部５１内に直接埋め込んで水平部５１と垂直部５２を互いに連結するようにしている。この擁壁５０の施工に際しては、上記と同様に、擁壁５０を施工する周辺の地盤１４を施工完了後における下段側の地面Ｌ２より若干低くなる程度まで掘削し、砕石１５を敷設する。
【００３０】
その後、砕石１５上に、略平坦な上面を有するコンクリート製のブロック５４をモルタル５５を介して所定の間隔で敷設し、これらのブロック５４上に複数の分割体５３を配置して隣接する分割体５３同士を通りアングル２３で連結する。
【００３１】
なお、分割体５３は、上記分割体１６と基本的に同一構成であるが、分割体５３に上下方向に沿って埋め込まれた鉄筋５６に分割体５３の下方へ突出する突出部５６ａが形成され、かつこの突出部５６ａが後方へ折り曲げられている点で上記分割体１６と相違する。
【００３２】
上記のように、ブロック５４上に複数の分割体５３を配置し、分割体５３の周囲を型枠５７で取り囲んだ後、型枠５７内に分割体５３の下端部が浸漬される程度までコンクリートを流し込んで凝固させると、ブロック５４、鉄筋５６の突出部５６ａ及び分割体５３の下端部が水平部５１内に埋め込まれることにより、水平部５１と各分割体５３とが連結される。
【００３３】
上記コンクリートが凝固した後、型枠５７を取り外し、予め通りアングル２３に固定されている支持部材３１に金網３２の支柱３３ａの下端部を挿入して金網３２を取り付けた後、擁壁５０の後方側をレベルＬ１まで、前方側をレベルＬ２まで土砂３９で埋め戻せばよい。
【００３４】
なお、上記実施の形態では、各擁壁１０、４０、５０の水平部１１は現場でコンクリートを打設することにより、擁壁の長手方向で一体に形成するものとしたが、図１２に示したようなコンクリート製のＬ型パネル１を並設することで擁壁を構成する場合、つまり、擁壁の垂直部だけでなく水平部も複数の分割体で構成されているような場合でも、上記Ｌ型パネル１同士が上記通りアングル２３又はこれと類似の長尺部材を介して連結されていれば、この通りアングル２３等に上記支持部材３１を固定して金網３２の取付を行えることは、言うまでもない。
【００３５】
【発明の効果】
以上説明したように、本発明の請求項１の擁壁は、土圧を支持する垂直部と、この垂直部の下方で地盤に埋設される水平部とを有するコンクリート製の擁壁であって、上記垂直部は、複数のコンクリート製の分割体を擁壁の長手方向に沿って並設することにより構成されるとともに、隣接する分割体間で延び各分割体に固定されることにより隣接する分割体同士を連結する通り用連結部材が設けられ、上記垂直部上に金網が配置されるとともに、この金網の下端部が上記通り用連結部材に接続されているものであり、少なくとも擁壁の垂直部が複数の分割体を並設して構成されており、かつ隣接する分割体同士が通り用連結部材で連結されている場合、この通り用連結部材を利用して金網の下端部の取付を行えるので、擁壁の上部に金網を設けたい場合も、係る金網を設置を容易に行える利点がある。
【００３６】
請求項２の擁壁は、請求項１の構成において、上記通り用連結部材には、各々支持凹部を有する複数の支持部材が取り付けられ、上記金網に設けられた複数の支柱の下端部が各支持部材の支持凹部に嵌合されることにより、上記金網の下端部が上記通り用連結部材に接続されるものであり、このように各支柱の下端部を各支持部材に嵌合する形式とすることで、金網の取付作業を一層容易に行えるようになる。また、上記通り用連結部材が土中に埋め戻される場合、上記支柱の下端部も土中に埋められることになるので、金網の取付部の見栄えの良好なものとなる。
【００３７】
請求項３の擁壁は、上記通り用連結部材が各分割体の後面側に沿って設けられるとともに、上記金網が垂直部の前後方向略中間部上に配置され、かつ上記支柱が上記金網から各分割体の後面に向けて屈曲状に形成されているものであり、上記のように支柱を屈曲状に形成することで、通り用連結部材が各分割体の後面側に沿って設けられている場合でも、金網を擁壁垂直部の前後方向略中間部上に配置できるようになる。これに対し、上記通り用連結部材を各分割体の後面側に配置し、かつ上記支柱を略直線状とした場合、金網が擁壁垂直部より後方へずれることになる。
【図面の簡単な説明】
【図１】本発明の実施の形態に係る擁壁を示す概略断面図。
【図２】上記擁壁を示す概略背面図。
【図３】上記擁壁を示す概略平面図。
【図４】上記擁壁で用いられる連結金具を示す概略平面図。
【図５】上記擁壁の施工手順を示す概略断面図。
【図６】上記擁壁の垂直部を構成する分割体を製造するための型枠を上方から見た状態示す概略斜視図。
【図７】上記型枠を用いて作成した分割体を示す概略斜視図。
【図８】上記実施の形態の変形例に係る擁壁を示す概略断面図。
【図９】本発明の別の実施の形態の擁壁を示す概略断面図。
【図１０】図９の実施の形態の擁壁を示す概略背面図。
【図１１】本発明の更に別の実施の形態の擁壁を示す概略断面図。
【図１２】従来の擁壁の施工に用いるＬ型パネルを示す概略斜視図。
【符号の説明】
１０  擁壁
１１  水平部
１２  垂直部
１６  分割体
２３  通りアングル（通り用連結部材）
３２  金網
３３ａ  支柱
【図１】
0003794890.tif 000002
【図２】
0003794890.tif 000003
【図３】
0003794890.tif 000004
【図４】
0003794890.tif 000005
【図５】
0003794890.tif 000006
【図６】
0003794890.tif 000007
【図７】
0003794890.tif 000008
【図８】
0003794890.tif 000009
【図９】
0003794890.tif 000010
【図１０】
0003794890.tif 000011
【図１１】
0003794890.tif 000012
【図１２】
0003794890.tif 000013